(57)【要約】【課題】  ディスクカートリッジにおいて、不良品を低減し、組立性を向上させる。【解決手段】  円盤状の記録媒体と、この記録媒体を回転可能に収容する２つの金属製のシェル半体２３、２４と、各シェル半体２３、２４を支持するフレーム２２とを備え、各シェル半体２３、２４が互いに離隔して形成された１対の爪２８，２８を有し、爪２８、２８を爪２８、２８に対応してフレーム２２に形成された孔３４に挿入して各シェル半体２３、２４の位置決めがなされるよう構成されたディスクカートリッジ２０において、孔３４の一方は爪２８を挿入したときに爪２８の挿入方向と直交するあらゆる方向の移動を規制する孔３４ａに、孔の他方は爪２８の一方向の移動を可能にする内寸法を有する長孔３４ｂに夫々形成される。【選択図】          図１
2005259195.tif 000002
【特許請求の範囲】
【請求項１】
円盤状の記録媒体と、該記録媒体を回転可能に収容する２つの金属製のシェル半体と、各該シェル半体を支持するフレームとを備え、前記各シェル半体が互いに離隔して形成された１対の爪を有し、該爪を該爪に対応して前記フレームに形成された孔に挿入して前記各シェル半体の位置決めがなされるよう構成されたディスクカートリッジにおいて、
前記孔の一方は前記爪を挿入したときに該爪の挿入方向と直交するあらゆる方向の移動を規制する孔に、前記孔の他方は前記爪の一方向の移動を可能にする内寸法を有する長孔に夫々形成されていることを特徴とするディスクカートリッジ。
【請求項２】
前記爪が前記シェル半体から折曲げによって形成されたものであり、前記一方向が折り曲げられた前記爪の板厚方向であることを特徴とする請求項１記載のディスクカートリッジ。
【請求項３】
前記長孔が断面多角形であることを特徴とする請求項１または２記載のディスクカートリッジ。
【請求項４】
前記長孔が断面長円形であることを特徴とする請求項１または２記載のディスクカートリッジ。
【請求項５】
前記孔が断面楕円形であることを特徴とする請求項１から４いずれか１項記載のディスクカートリッジ。
【請求項６】
前記爪同士が該爪の板厚方向に対向するように配置されているとともに前記長孔の側に位置する他方の前記爪が前記シェルと鈍角をなすように折り曲げられ、前記長孔には前記他方の爪と係合して該爪の抜止めとなる傾斜壁が形成されていることを特徴とする請求項１から５いずれか１項記載のディスクカートリッジ。
【請求項７】
前記爪が該爪の板厚方向に対向するように配置されているとともに、前記長孔に前記爪を挿入するにつれて該爪と干渉して該爪の抜け止めとなる傾斜面が前記長孔に形成されていることを特徴とする請求項１から５いずれか１項記載のディスクカートリッジ。
【発明の詳細な説明】
【技術分野】
【０００１】
本発明は、例えば、デジタルカメラ等のモバイル機器等に使用されるディスクカートリッジに関し、特に、記録媒体をその両面から覆って収容する２つのシェル半体およびこの２つのシェル半体が位置決めされて取り付けられるフレームを有するディスクカートリッジに関するものである。
【背景技術】
【０００２】
従来、デジタルカメラ等のモバイル機器等においては、記録媒体として例えば、図８及び図９に概略的に示すような「ｃｌｉｋ！（登録商標）」と呼ばれる超小型の磁気ディスクカートリッジが使用されている。（例えば、非特許文献１、特許文献１参照。）
図８は、この従来の磁気ディスクカートリッジ１の斜視図を示し、図９は、上シェルを取り除いた、図８の磁気ディスクカートリッジ１の平面図である。この磁気ディスクカートリッジ１は、幅５０ｍｍ、奥行き５５ｍｍ、厚さ１．９５ｍｍの寸法を有している。この磁気ディスクカートリッジ１は、樹脂製のフレーム２と、金属素材（厚さ０．２ｍｍのステンレス鋼板）からなる上シェル（上シェル半体）３、下シェル（下シェル半体）４とによって構成されたハウジング５と、このハウジング５内に回転自在に収容された４０ＭＢの記憶容量を有する直径４５．７ｍｍ（１．８インチ）の磁気ディスク（磁気記録媒体）９（図９）とを有する。
【０００３】
上記ハウジング５は、このディスクカートリッジ１が装填されるディスクドライブ（図示せず）が備えている磁気ヘッド（図示せず）を磁気ディスク９の表面にアクセスさせるための開口６と、この開口６を開閉するロータリーシャッタ７とを備えている。図９に示すように、ロータリーシャッタ７は、その外周部に支持部材７ｄを有しており、フレーム２の端部に突出した部位２ｂとの間に配置された圧縮コイルばね１１により常時矢印１２方向に付勢されている。上下シェル３、４は、それらの側壁の縁部をつき合わせて、１０箇所以上の部位Ｐ（図８）でレーザー溶接されて組み立てられている。
【０００４】
また、金属製の上下シェル３、４を樹脂製のフレーム２と一体化する手段として、上下シェル３、４から夫々折り曲げられた１対の爪を、フレーム２の孔１４の中心に圧入することでシェル３、４の位置決めと取付けがなされている。
【非特許文献１】大島篤著「パソコン解体新書」、ソフトバンクパブリッシング株式会社、２０００年４月１０日発行（Ｐ５２−５３）
【特許文献１】米国特許第６２５６１６８号明細書（図２、図３）
【発明の開示】
【発明が解決しようとする課題】
【０００５】
ところで、上述した従来の磁気ディスクカートリッジ１においては、フレーム２に形成された孔１４は、断面円形に形成されている。このため上下シェル３、４に形成された１対の爪のピッチ（間隔）と孔１４のピッチを正確に合致させる必要がある。このピッチがずれると、爪が孔の中心に位置しないので、見かけ上の孔の直径が小さくなり圧入時に爪が変形或いは座屈して上下シェル３、４をフレーム２に密着させることができなくなるおそれがある。即ち、上下シェル３、４の平坦性が落ちて磁気ディスクカートリッジ１の厚みが１．９５ｍｍを超えてしまう。その結果、磁気ディスクカートリッジ１をドライブに挿入するときに、磁気ディスクカートリッジ１とドライブの挿入口との間の間隙がなくなり、最悪の場合には、この磁気ディスクカートリッジ１をドライブに挿入することが不可能となる。また、製造される製品のうちこのような不良品の割合が増大し、製品の歩留まりが低下するおそれがある。そのため、このような不具合を生じないように高精度の品質検査が必要となるが、これは検査時間およびコストの増大といった問題を生じる。
【０００６】
特に、近年、磁気記録媒体（記録媒体）の小径化（例えば、直径約２．５ｃｍ）および大容量化（１ＧＢ以上）された磁気ディスクカートリッジが、パーソナルコンピュータやデジタルカメラなどの用途として望まれているので、磁気ディスクカートリッジが小型化される結果、以上のような不具合が生じる可能性が増大する。
【０００７】
本発明は、上述の事情に鑑みてなされたものであり、不良品を低減し、組立性を向上させたディスクカートリッジを提供することを目的とするものである。
【課題を解決するための手段】
【０００８】
本発明のディスクカートリッジは、円盤状の記録媒体と、記録媒体を回転可能に収容する２つの金属製のシェル半体と、各シェル半体を支持するフレームとを備え、各シェル半体が互いに離隔して形成された１対の爪を有し、爪を爪に対応してフレームに形成された孔に挿入して各シェル半体の位置決めがなされるよう構成されたディスクカートリッジにおいて、孔の一方は爪を挿入したときに爪の挿入方向と直交するあらゆる方向の移動を規制する孔に、孔の他方は爪の一方向の移動を可能にする内寸法を有する長孔に夫々形成されていることを特徴とするものである。
【０００９】
また、爪はシェル半体から折曲げによって形成されたものであり、前記一方向は折り曲げられた爪の板厚方向とすることができる。
【００１０】
長孔は断面多角形であっても、断面長円形であってもよい。この断面多角形は、長方形や正方形を含み、また断面長円形は楕円を含む。
【００１１】
また、孔の一方は断面楕円形とすることができる。この断面楕円形は断面円形を含む。
【００１２】
また、爪同士は爪の板厚方向に対向するように配置されているとともに長孔の側に位置する他方の爪がシェルと鈍角をなすように折り曲げられ、長孔には他方の爪と係合して爪の抜止めとなる傾斜壁が形成されていてもよい。
【００１３】
また、爪は爪の板厚方向に対向するように配置されているとともに、長孔に爪を挿入するにつれて爪と干渉して爪の抜け止めとなる傾斜面が長孔に形成されていてもよい。
【発明の効果】
【００１４】
本願第１の発明によれば、ディスクカートリッジは、各シェル半体が互いに離隔して形成された１対の爪を有し、爪をフレームに形成された孔に挿入して各シェル半体の位置決めがなされるよう構成されており、孔の一方は爪を挿入したときに爪の挿入方向と直交するあらゆる方向の移動を規制する孔に、孔の他方は爪の一方向の移動を可能にする内寸法を有する長孔に夫々形成されているので、次の効果を奏する。
【００１５】
即ち、爪と孔のピッチずれが生じても、一方の孔によってシェル半体とフレームとの位置決めができるとともに、他方の長孔によってこのピッチずれを吸収できるので、爪が座屈したり変形したりすることなく、シェル半体をフレームに正確に密着させて組立てることができる。従って、不良品を低減できるとともに、組立性を向上させたディスクカートリッジを提供することができる。
【００１６】
また、爪がシェル半体から折曲げによって形成されたものであり、前記一方向が折り曲げられた爪の板厚方向である場合は、簡単に爪を形成することができるとともに、この爪の位置ずれを容易に吸収することができるので、爪の変形、座屈等が生じることがない。
【００１７】
また、長孔が断面多角形の場合、或いは断面長円形の場合は、いずれも容易に成形できるとともに、爪と相互の位置精度がずれても確実に爪を収容することができる。
【００１８】
また、一方の孔が、爪の挿入方向と直交するあらゆる方向の移動を規制する断面楕円形である場合は、この孔により、確実にシェルの位置決めができる。
【００１９】
また、長孔の側に位置する他方の爪がシェルと鈍角をなすように折り曲げられ、長孔には他方の爪と係合して爪の抜止めとなる傾斜壁が形成されている場合は、爪が一層抜けにくくなり、シェル半体とフレームとの固定が確実になされる。
【００２０】
また、長孔に爪を挿入するにつれて爪と干渉して爪の抜け止めとなる傾斜面が長孔に形成されている場合は、この傾斜面と爪が係合して爪が一層抜けにくくなる。
【発明を実施するための最良の形態】
【００２１】
以下、本発明によるディスクカートリッジの実施の形態について、添付図面を参照して詳細に説明する。図１は本発明による第１の実施形態の磁気ディスクカートリッジ（ディスクカートリッジ）２０を示す分解斜視図である。図２は図１の磁気ディスクカートリッジ２０に形成されている、上下シェル半体２３、２４を取り付けるための孔３４の形状を示す平面図である。なお、この磁気ディスクカートリッジ２０は、前述の従来の磁気ディスクカートリッジ１と基本的な構成は同じなので、詳細な説明は省略する。
【００２２】
図１に示すように、上シェル半体２３および下シェル半体２４には、フレーム２２に上下シェル半体２３、２４を取り付けるための取付タブ２６、２６が、上下シェルシェル半体２３、２４と一体に夫々１対形成されている。各取付タブ２６の先端にはフレーム２２に取り付けられたときに、互いに合体してフレーム２２の一部を覆う舌片２６ａが、取付タブ２６と一体に折り曲げられて形成されている。
【００２３】
各取付タブ２６の外側側縁２６ｂには、取付タブ２６と一体に矢じり状の爪２８がフレーム２２側に折り曲げられて形成されている。この実施形態では、上シェル半体２３では、爪２８は舌片２６ａ近傍に形成され、下シェル半体２４では、爪２８は取付タブ２６の固定端近傍に形成されている。この取付タブ２６への爪２８の取付け関係は、上下シェル２３、２４で逆になってもよい。
【００２４】
上下シェル半体２３、２４が取り付けられるフレーム２２には、内側湾曲部３０と、取付タブ２６を受容する溝３６ａ、３６ｂが形成されている。この溝３６ａ、３６ｂは、内側湾曲部３０と逆向きの後部３２との間に亘って、フレーム２２の両面に形成されている。前述の爪２８に対応する、この溝３６の位置に孔３４が形成されている。孔３４は、上下シェル半体２３、２４の爪２８の位置に対応して形成されているので、溝３６には夫々２個ずつ形成されている。この孔３４の形状は溝３６ａでは、断面円形の孔〈一方の孔〉３４ａに形成され、溝３６ｂ側では爪２８の板厚方向に長い長孔〈他方の孔〉３４ｂに形成されている。
【００２５】
孔３４ａの内径は、図２に示すように、爪２８が挿入されたときに、爪２８の挿入方向に直行する全ての方向への移動を規制する寸法に形成されている。換言すると、爪２８の幅と孔３４ａの直径が略等しくなっている。また長孔３４ｂは、爪２８と略同じ幅を有し、爪２８の板厚方向に長い形状を有している。
【００２６】
上下シェル半体２３、２４の組立にあたっては、爪２８が対応する孔３４に位置するように、フレーム２２に両面から取り付ける。このとき、爪２８は孔３４ａ内に圧入されると、爪２８の位置が孔３４ａの略中央部に位置決めされるとともに固定され、他方の爪２８は、ピッチ即ち爪２８同士の間隔が所定の寸法からずれていても、確実に長孔３４ｂに圧入することができる。たとえば、ピッチが短くなっている場合でも、図２に２８´で示す位置に爪２８を圧入することができる。従って、爪２８が孔３４と干渉して変形、座屈等を生じることがない。
【００２７】
次に本発明の第２の実施形態について、図３および図４を参照して説明する。図３は第２の実施形態による磁気ディスクカートリッジ５０の上シェル半体５３を部分的に示す斜視図である。図４はこの第２の実施形態の孔の形状を示す平面図である。なお、図示した磁気ディスクカートリッジ５０他の部分の形状は、第１の実施形態の磁気ディスクカートリッジ２０の形状と同じなので、詳細な説明は省略する。
【００２８】
この第２の実施形態においては、上下シェル半体の各取付タブ５６に、図３に示すように矩形の開口６０が形成され、この開口６０に爪５８が形成されている。なお、取付タブ５６の形状は上下シェル半体とも略同じなので、上シェル半体５３のみについて説明し、下シェル半体については図示を省略する。開口６０内には、舌片５６ａから離隔している方の縁部５６ｂに爪５８が折曲げにより形成されている。この爪５８は、上シェル半体５３の、図示していない左側にも同様に形成されている。
【００２９】
また、フレーム５２には、フレーム５２の左側には円形の孔６４ａが形成され、右側には爪５８の板厚方向に長い長孔６４ｂが形成されている。爪５８は、上シェル半体５３と下シェル半体がフレームの両面から重ね合わせたときに互いに当接しないようにオフセットされている。従って、孔６４ａと長孔６４ｂは各爪５８に対応してフレーム５２に２個ずつ配置され、上シェル半体５３の爪５８と、下シェル半体の図示しない爪は、互いに異なる孔６４ａと長孔６４ｂに圧入される。
【００３０】
この第２の実施形態の磁気ディスクカートリッジ５０を組み立てる態様について説明する。なお、上シェル半体５３と下シェル半体は同様にして組み立てられるが、説明の便宜上、上シェル半体５３についてのみ説明する。まず、上シェル半体５３をフレーム５２上に配置すると、左側の爪５８が孔６４ａに圧入されて位置決めされる。そして、右側の爪５８は、長孔６４ｂ内で爪５８の板厚方向における任意の位置に圧入される。従って、板厚方向の位置ずれが生じていても、爪５８を変形、座屈させることなく確実に長孔６４ｂ内に受容することができる。
【００３１】
以上に説明した長孔３４ｂ、６４ｂは、平行な対向縁を有する長円形であったが、このほかにも例えば、図５に示すような種々の変形例が考えられる。以下、これらの変形例について図５を参照して説明する。図５は長孔の変形例を示し、図５（ａ）は長方形、図５（ｂ）は変形８角形、図５（ｃ）は楕円形を夫々示す平面図である。これらの長孔７４ｂ、８４ｂ、９４ｂはいずれも、爪、例えば爪５８の幅より僅かに大きな幅を有するとともに、爪の板厚方向に移動可能な、前述の幅より長い寸法を有している。これにより爪５８の位置ずれを吸収することができる。
【００３２】
次に図６を参照して本発明の第３の実施形態の磁気ディスクカートリッジ１００について説明する。図６は、第３の実施形態の磁気ディスクカートリッジ１００の要部概略断面図である。なお図６は理解を容易にするため誇張して示してあり、実際の寸法とは比例していない。磁気ディスクカートリッジ１００は、フレーム１０２とこのフレーム１０２に取り付けられる上下シェル半体を有する。上下シェル半体はフレーム１０２の両面から同様に取り付けられるので、図では上シェル半体１０３のみについて説明する。
【００３３】
前述の２つの実施形態と異なる点は、上シェル半体１０３の長孔１１４ｂ側の爪１０８が上シェル半体１０３の主面１０３ａと鈍角をなすように折り曲げられ、対応する長孔１１４ｂにこの鈍角に折り曲げられた爪１０８に対応する傾斜壁１１６が形成されていることである。上シェル半体１０３の取付にあたっては、長孔１１４ｂ側の爪１０８を直角に矢印１１０で示す方向に折り曲げて長孔１１４ｂに入りやすくし、長孔１１４ｂに挿入した後は弾発的に復帰して傾斜壁１１６に当接する。これによって、上シェル半体１０３がフレーム１０２と強く係合し、フレーム１０２から抜け出ることが防止される。
【００３４】
次に図７を参照して、本発明の第４の実施形態について説明する。図７は第４の実施形態の磁気ディスクカートリッジ１２０のフレーム１２２に形成された長孔１２４ｂの形状を示し、図７（ａ）は要部平面図、図７（ｂ）は要部断面図を夫々示す。この長孔１２４ｂには、長孔１２４ｂの長手方向に沿った平行な両側面に傾斜面１２６が形成されている点が特徴である。この傾斜面１２６は、爪１２８を挿入するに従って爪１２８と干渉して係合するように傾斜している。爪１２８は挿入されるに従って、図７（ａ）に示すように矢印の方向に捩じれて傾斜面１２６と干渉係合する。これによって、上下シェル半体がフレーム１２２に一層強固に固定される。
【００３５】
以上、本発明の好ましい実施形態について詳細に説明したが、上記実施形態に限定されるものではなく種々の変形、変更が考えられる。例えば、前述の実施形態３において、上シェル半体５３では図３に示すように開口６０の端縁５６ｂに爪を設け、下シェル半体では端縁５６ｂと対向する端縁５６ｃ側に爪を設けてもよい。また、上シェル半体５３と下シェル半体にこの逆の関係で取り付けてもよい。また、その場合、孔は夫々の爪に対応させて設ける必要があることは勿論である。
【図面の簡単な説明】
【００３６】
【図１】本発明の第１の実施形態の磁気ディスクカートリッジを示す分解斜視図
【図２】図１の磁気ディスクカートリッジに形成されている、上下シェル半体を取り付けるための孔の形状を示す平面図
【図３】本発明の第２の実施形態の磁気ディスクカートリッジの上シェル半体を部分的に示す斜視図
【図４】第２の実施形態の孔の形状を示す平面図
【図５】長孔の変形例を示し、（ａ）は長方形、（ｂ）は変形８角形、（ｃ）は  楕円形を夫々示す平面図
【図６】本発明の第３の実施形態の磁気ディスクカートリッジの要部概略断面図
【図７】本発明の第４の実施形態による磁気ディスクカートリッジのフレームに形成された長孔の形状を示し、（ａ）は要部平面図、（ｂ）は要部断面図を夫々示す。
【図８】従来の磁気ディスクカートリッジの斜視図
【図９】上シェルを取り除いた、図８の磁気ディスクカートリッジの平面図
【符号の説明】
【００３７】
９    記録媒体
２０、５０、１００、１２０    磁気ディスクカートリッジ
２２、５２、１２２    フレーム
２３、５３、１０３    上シェル半体
２４    下シェル半体
２８、５８、１２８    爪
３４ａ、６４ａ  孔（一方の孔）
３４ｂ、７４ｂ、８４ｂ、９４ｂ    長孔（他方の孔）
１１６    傾斜壁
１２６    傾斜面
【図１】
2005259195.tif 000003
【図２】
2005259195.tif 000004
【図３】
2005259195.tif 000005
【図４】
2005259195.tif 000006
【図５】
2005259195.tif 000007
【図６】
2005259195.tif 000008
【図７】
2005259195.tif 000009
【図８】
2005259195.tif 000010
【図９】
2005259195.tif 000011